(57)【要約】【課題】簡単な構造で、かつ、発泡時に垂れて隙間が残ることのない空隙充填材を得る。【解決手段】壁により囲まれた空隙１２を加熱により膨張して充填する空隙充填材１において、レインホース８の壁に沿って形成された板状部１４から対向するアウター６の壁に向かって突出された突状部２６を形成した。かつ、板状部１４と突状部２６とが発泡樹脂で一体に形成され、また、中空体を重ね合わせて形成する際に、邪魔にならない位置に突状部２６を形成した。突状部２６は複数設けられ、対向するアウター６の壁に接触する長さで突出された。空隙１２は、自動車用ピラー内に形成された空隙であり、板状部１４にレインホース８の壁に形成した貫通孔２２に係合するクリップ部２０を形成した。【選択図】  図３
2005153715.tif 000002
【特許請求の範囲】
【請求項１】
重ね合わせて形成される中空体の壁により囲まれた空隙を加熱により膨張して充填する空隙充填材において、
前記壁に沿って形成された板状部と、該板状部から対向する前記壁に向かって前記壁に接触するまで突出された突状部とを有し、かつ、前記板状部と前記突状部とが発泡樹脂で一体に形成され、また、前記中空体を重ね合わせて形成する際に、邪魔にならない位置に前記突状部を形成したことを特徴とする空隙充填材。
【請求項２】
前記中空体は、自動車用ピラーであることを特徴とする請求項１記載の空隙充填材。
【請求項３】
前記板状部に前記壁に形成した貫通孔に係合するクリップ部を形成したことを特徴とする請求項１又は請求項２記載の空隙充填材。
【請求項４】
前記突状部は複数形成されていることを特徴とする請求項１ないし請求項３記載の空隙充填材。
【発明の詳細な説明】
【技術分野】
【０００１】
本発明は、自動車用ピラー等の壁により囲まれた空隙を加熱により膨張して充填する空隙充填材に関する。
【背景技術】
【０００２】
従来より、自動車用ピラー等の内部の空隙を空隙充填材の膨張によって充填することによって、遮音・制振特性及び強度を向上させる技術が広く利用されている。この空隙充填材は、センターピラー等の中空体が組み立てられる前に、部品の壁に取り付けられる。センターピラー等の内部の空隙は、膨張した空隙充填材によって充填され、好適な遮音・制振特性及び強度を得ることができる。
【０００３】
例えば、特許文献１にあるように、合成樹脂により一体成形された一対の支持プレートの間に、発泡性基材を差し込み、一対の支持プレートにより発泡性基材の両面を支持し、発泡性基材の発泡方向を規制して、発泡時に発泡性基材が垂れて隙間が残らないようにしたものが提案されている。
【特許文献１】特開２０００−１０２９９１
【発明の開示】
【発明が解決しようとする課題】
【０００４】
しかしながら、こうした従来のものでは、発泡時に、発泡性基材が垂れないように、一対の支持プレートを設けなければならず、構造が複雑になるという問題があった。
本発明の課題は、簡単な構造で、かつ、発泡時に垂れて隙間が残ることのない空隙充填材を提供することにある。
【課題を解決するための手段】
【０００５】
かかる課題を達成すべく、本発明は課題を解決するため次の手段を取った。即ち、
重ね合わせて形成される中空体の壁により囲まれた空隙を加熱により膨張して充填する空隙充填材において、
前記壁に沿って形成された板状部と、該板状部から対向する前記壁に向かって前記壁に接触するまで突出された突状部とを有し、かつ、前記板状部と前記突状部とが発泡樹脂で一体に形成され、また、前記中空体を重ね合わせて形成する際に、邪魔にならない位置に前記突状部を形成したことを特徴とする空隙充填材がそれである。前記中空体は、自動車用ピラーであってもよい。また、前記板状部に前記壁に形成した貫通孔に係合するクリップ部を形成した構成としてもよい。更に、前記突状部は複数形成してもよい。
【発明の効果】
【０００６】
本発明の空隙充填材は、簡単な構造で、かつ、垂れることなく、空隙を充填できるという効果を奏する。
【発明を実施するための最良の形態】
【０００７】
以下本発明を実施するための最良の形態を図面に基づいて詳細に説明する。
図１に示すように、１は空隙充填材で、本実施形態では、発泡樹脂で一体に成形されている。空隙充填材１は、ポリマー、無機充填剤、架橋剤、発泡剤を調整・配合したもので、ポリマーとしては、例えば、熱可塑性樹脂が挙げられ、ポリオレフィン、エチレンビニールアセテートポリマー、エチレンピロピレンゴム、スチレンブタジエンゴム等が挙げられる。
【０００８】
無機充填剤としては、炭酸カルシウム、硫酸バリウム、フェライト、シリカ等を用いることができる。架橋剤としてはパーオキサイド、硫黄等を用いることができ、発泡剤としては、アゾジカルボンアミド、ジニトロペンタメチレンテトラミン等を用いることができる。この空隙充填材１は、１４０〜２３０℃で数十分間加熱すると、数倍〜数十倍に膨張する。
【０００９】
本実施形態の空隙充填材１は、図２、図３に示すように、中空体としての自動車のピラー２に用いられており、ピラー２はインナー４、アウター６、レインホース８が、その両端側で、密着するよう重ね合わされて形成されている。インナー４にレインホース８が重ねられて、ほぼ矩形の空隙１０が形成されている。
【００１０】
そして、レインホース８にアウター６が重ねられて、レインホース８とアウター６との壁により囲まれた空隙１２が形成されている。この空隙１２は、ほぼ「コ」字状に形成されており、図２に示すように、重ね合わせる際には、アウター６を図の矢印方向から、レインホース８に被せるようにして重ね合わせる必要があり、これらの形状により、アウター６を重ね合わせる方向に規制を受ける。
【００１１】
また、アウター６の外壁には凹凸が形成されている。空隙１２はこのアウター６の凹凸に応じて複雑な形状に形成されている。本実施形態では、この空隙１２に空隙充填材１が用いられる。空隙充填材１には、図１に示すように、ほぼ一定の幅とほぼ一定の厚さとで形成された板状部１４を備えている。板状部１４は、レインホース８の壁に沿った形状に形成されており、この板状部１４は、図２に矢印で示すように、アウター６をレインホース８に上方から重ね合わせる際に、アウター６の重ね合わせに邪魔にならない位置に形成されている。
【００１２】
そして、板状部１４は、レインホース８の壁に沿った形状に形成されると共に、半円弧状に形成された円弧部１６を備え、円弧部１６はレインホース８の壁からアウター６側に向かって延出されている。円弧部１６の先端は、「く」字状に折り曲げられて、平板部１８が形成されている。
【００１３】
レインホース８の壁に沿って形成された板状部１４には、レインホース８側に向かって突出されたクリップ部２０が形成されている。クリップ部２０はその先端に傘部２２が形成されており、レインホース８に形成された貫通孔２４にクリップ部２０を挿入すると、傘部２２が閉じながら貫通孔２４に挿入され、傘部２２が貫通孔２４を通過すると、傘部２２が開いて、貫通孔２４からクリップ部２０が抜け落ちないように係止される。
【００１４】
また、クリップ部２０と反対側の板状部１４には、複数の突状部２６が、本実施形態では３つの突状部２６が突出形成されている。複数の突状部２６は、本実施形態では、板状に形成されており、図３に示すように、アウター６を重ね合わせた際に、アウター６の壁に接触する高さに形成されている。アウター６をレインホース８に重ね合わせた際には、複数の突状部２６の一部は多少湾曲するように形成されている。尚、突状部２６は、板状に限らず、球状や三角錐状であってもよい。
【００１５】
更に、突状部２６は、図２に矢印で示すように、アウター６をレインホース８に上方から重ね合わせる際に、アウター６の重ね合わせに邪魔にならない位置に形成されている。複数の突状部２６は、空隙１２に形状に応じて、その容積が大きくなる箇所に形成され、本実施形態では、アウター６の凹凸に応じて、アウター６が外側に凸形状に形成されて容積が大きくなる箇所に設けられている。
【００１６】
次に、前述した本実施形態の空隙充填材１の作動について説明する。
まず、図２に示すように、クリップ部２０をレインホース８の貫通孔２４に挿入して、空隙充填材１をレインホース８に固定する。これにより、空隙充填材１の板状部１４がレインホース８の壁に沿って配置され、円弧部１６の先端がアウター６側に突き出される。  
【００１７】
次に、アウター６をレインホース８に図２矢印の方向から重ね合わせる。その際、円弧部１６が、空隙１２に沿って湾曲され、レインホース８の壁に沿って配置される。平板部１８の先端は、レインホース８側からアウター６の壁に向かって突き出され、アウター６の壁に接触して湾曲される。また、複数の突状部２６は、アウター６の壁に接触し、一部の突状部２６は湾曲される。
【００１８】
ピラー２に塗装が施された後、乾燥のために加熱されると、空隙充填材１が発泡して膨張する。加熱された際に、突状部２６の先端がアウター６の壁に接触しているので、突状部２６が軟らかくなってもアウター６の壁に接着した状態となって垂れ下がらない。よって、空隙１２が膨張した空隙充填材１により隙間が残ることなく充填され、良好な遮音・吸音・制振特性等が得られる。特に、突状部２６が設けられているので、空隙１２の容積が大きくても、空隙充填材１が不足することがなく、空隙１２が隙間なく充填される。また、アウター６の形状が複雑で、空隙１２の形状が複雑であっても、空隙１２は隙間なく充填される。
【００１９】
以上本発明はこの様な実施形態に何等限定されるものではなく、本発明の要旨を逸脱しない範囲において種々なる態様で実施し得る。
【図面の簡単な説明】
【００２０】
【図１】本発明の一実施形態としての空隙充填材の斜視図である。
【図２】本実施形態のピラーを組み立てる際の説明図である。
【図３】本実施形態のピラーの空隙に空隙充填材を取り付けた状態のピラーの断面図である。
【符号の説明】
【００２１】
１…空隙充填材    ２…ピラー
４…インナー      ６…アウター
８…レインホース  １０，１２…空隙
１４…板状部      １６…円弧部
１８…平板部      ２０…クリップ部
２２…傘部        ２４…貫通孔
２６…突状部
【図１】
2005153715.tif 000003
【図２】
2005153715.tif 000004
【図３】
2005153715.tif 000005